(57)【要約】【課題】画像表示システムを構成する一部の画像表示装置が故障しても、観者に必要な情報を伝達可能な画像を表示する。【解決手段】全体画像データを分割した複数の分割画像データを出力するＰＣ１０と、各分割画像データに基づく分割画像を夫々表示する複数のプロジェクタＰＪと、を備え、各プロジェクタＰＪから夫々表示される部分投影画像Ｉｍｇによって１つの全体投影画像ＦＩを形成する画像投影システム１であって、各プロジェクタＰＪが各分割画像を正常に表示しているか否かを検知する異常検知部２６を備え、ＰＣ１０は、異常検知部２６が異常を検知した場合に、分割画像データを変更した変更分割画像データを正常な各プロジェクタＰＪに出力する。【選択図】図４
2018004809.tif 000002
【特許請求の範囲】
【請求項１】
全体画像データを分割した複数の分割画像データを出力する情報処理手段と、前記各分割画像データに基づく分割画像を夫々表示する複数の画像表示手段と、を備え、前記各画像表示手段から夫々表示される分割画像によって１つの全体画像を形成する画像表示システムであって、
前記各画像表示手段が前記各分割画像を正常に表示しているか否かを検知する異常検知手段を備え、
前記情報処理手段は、いずれかの画像表示手段について前記異常検知手段が異常を検知した場合に、前記分割画像データを変更した変更分割画像データを正常な前記各画像表示手段に出力することを特徴とする画像表示システム。
【請求項２】
前記各変更分割画像データにより形成される変更後の全体画像は、前記異常が検知された前記画像表示手段によって表示される分割画像と同一の行又は同一の列に位置する分割画像以外の分割画像によって形成される画像であることを特徴とする請求項１に記載の画像表示システム。
【請求項３】
前記各変更分割画像データにより形成される変更後の全体画像は、前記異常が検知される前の全体画像を縮小した画像であることを特徴とする請求項１に記載の画像表示システム。
【請求項４】
前記情報処理手段は、少なくとも異常が検知された前記画像表示手段を除く前記各画像表示手段に前記各分割画像を表示させるように前記全体画像データを再構成することを特徴とする請求項１又は２に記載の画像表示システム。
【発明の詳細な説明】
【技術分野】
【０００１】
本発明は、画像表示システムに関する。
【背景技術】
【０００２】
近年、複数のプロジェクタ（画像表示装置）から投影される投影画像によって１つの全体投影画像を表示するマルチプロジェクションシステム（画像表示システム）が実用化されている。マルチプロジェクションシステムによれば、単一のプロジェクタでは困難な大画面化、高輝度化、高解像度化を実現することができる。
しかし、マルチプロジェクションシステムは複数のプロジェクタを使用するため、単一のプロジェクタを使用して画像を投影する場合に比べて、故障する確率が高くなるという問題がある。また、一部のプロジェクタの故障により、全体投影画像が部分的に欠落して画像品質が劣化したり、観者に必要な情報を伝達できなくなるといった問題がある。
上記問題を解決するため、特許文献１には、全体投影画像の各領域を２台以上のプロジェクタによって表示するマルチプロジェクションシステムが記載されている。特許文献１によれば、ある領域を表示するプロジェクタが故障しても、同領域を他のプロジェクタが表示するので、異常画像の発生、及び画像品質の劣化等を防止できる。
【発明の概要】
【発明が解決しようとする課題】
【０００３】
しかし、特許文献１に記載の発明においては、使用するプロジェクタの台数が多くなるため高コストであるという問題がある。
本発明は上述の事情に鑑みてなされたものであり、画像表示システムを構成する一部の画像表示装置が故障しても、観者に必要な情報を伝達可能な画像を表示することを目的とする。
【課題を解決するための手段】
【０００４】
上記の課題を解決するために、請求項１に記載の発明は、全体画像データを分割した複数の分割画像データを出力する情報処理手段と、前記各分割画像データに基づく分割画像を夫々表示する複数の画像表示手段と、を備え、前記各画像表示手段から夫々表示される分割画像によって１つの全体画像を形成する画像表示システムであって、前記各画像表示手段が前記各分割画像を正常に表示しているか否かを検知する異常検知手段を備え、前記情報処理手段は、いずれかの画像表示手段について前記異常検知手段が異常を検知した場合に、前記分割画像データを変更した変更分割画像データを正常な前記各画像表示手段に出力することを特徴とする。
【発明の効果】
【０００５】
本発明によれば、画像表示システムを構成する一部の画像表示装置が故障しても、観者に必要な情報を伝達可能な画像を表示できる。
【図面の簡単な説明】
【０００６】
【図１】本発明の一実施形態に係る画像投影システムの概略構成を示す模式図である。
【図２】画像投影システムにより投影される画像の一例を示す図である。
【図３】本発明の一実施形態に係るＰＣの構成例を示すブロック図である。
【図４】本発明の一実施形態に係るプロジェクタの構成例を示すブロック図である。
【図５】一部のプロジェクタの故障により、対応する部分投影画像が異常表示となった全体投影画像の一例を示す図である。
【図６】正常なプロジェクタが投影する部分投影画像のみを用いてスクリーンに完全な情報を含む画像を表示する第一の例を示す図である。
【図７】正常なプロジェクタが投影する部分投影画像のみを用いてスクリーンに完全な情報を含む画像を表示する第二の例を示す図である。
【図８】自身の異常を監視するプロジェクタの処理を示したフローチャートである。
【図９】全体投影画像の表示パターンを変更するＰＣの処理を示したフローチャートである。
【発明を実施するための形態】
【０００７】
本発明は複数のプロジェクタ（画像表示装置）から投影される投影画像によって１つの全体投影画像を表示するマルチプロジェクションシステム（画像表示システム）に係る発明であり、以下の特徴を有する。即ち、マルチプロジェクションシステムを構成するプロジェクタの故障を検知した場合に、故障したプロジェクタを使用せずに（正常なプロジェクタから投影される投影画像のみによって）全体投影画像を形成するように、全体投影画像の表示パターンを変更する。この処理により、マルチプロジェクションシステムを構成する一部のプロジェクタが故障しても、観者に必要な情報を伝達可能な、意味のある全体投影画像を表示できる。
上記記載の本発明の特徴について、以下の図面を用いて詳細に解説する。但し、この実施形態に記載される構成要素、種類、組み合わせ、形状、その相対配置などは特定的な記載がない限り、この発明の範囲をそれのみに限定する主旨ではなく単なる説明例に過ぎない。
【０００８】
〔画像投影システム〕
図１は、本発明の一実施形態に係る画像投影システムの概略構成を示す模式図である。図２は、画像投影システムにより投影される画像の一例を示す図である。
【０００９】
画像投影システム１（画像表示システム）は、ＰＣ（Personal Computer）１０（情報処理手段）と、複数のプロジェクタＰＪ１〜ＰＪ９（画像投影手段、画像表示手段）とを備えている。
夫々のプロジェクタＰＪ１〜ＰＪ９はＰＣ１０と、ＨＤＭＩ（登録商標）（High-Definition Multimedia Interface：登録商標）等の映像ケーブル、ＵＳＢ（Universal Serial Bus）等の有線ケーブル、有線ＬＡＮ（Local Area Network）又は無線ＬＡＮによるネットワーク等によって接続されている。ＰＣ１０は、プロジェクタＰＪ１〜ＰＪ９の夫々に対して全体投影画像（全体画像）ＦＩを構成する部分投影画像（分割画像）Ｉｍｇ１〜Ｉｍｇ９用の画像データ（分割画像データ）を送信する。プロジェクタＰＪ１〜ＰＪ９が、夫々、分割画像データに基づいて部分投影画像Ｉｍｇ１〜Ｉｍｇ９をスクリーンＳに投影（マルチ投影）することによって、スクリーンＳ上には１つの全体投影画像ＦＩが投影される。
【００１０】
〔ＰＣの構成〕
図３は、本発明の一実施形態に係るＰＣの構成例を示すブロック図である。ＰＣ１０は、通信部１１と、記憶部１３と、表示部１５と、操作部１７と、データ処理部１９と、を備える。
通信部１１は、プロジェクタＰＪ１〜ＰＪ９などの外部装置と通信する回路であり、プロジェクタＰＪ１〜ＰＪ９などの外部装置と接続され、データの送受信を行う。
記憶部１３は、ＰＣ１０で実行される各種プログラム、及びＰＣ１０で行われる各種
処理に使用されるデータなどを記憶する。記憶部１３は、例えば、ＨＤＤ（Hard Disk Drive）、ＳＳＤ（Solid State Drive）、メモリカード、及び光ディスクなどの磁気的、光学的、及び電気的に記憶可能な記憶装置の少なくともいずれかにより実現できる。
【００１１】
表示部１５は、各種画面を表示するものであり、液晶ディスプレイ及びタッチパネル
式ディスプレイなどの表示装置により実現できる。
操作部１７は、各種操作の入力を行うものであり、キーボード、マウス、タッチパッド、及びタッチパネルなどの入力装置により実現できる。
データ処理部１９は、ＰＣ１０の各部を制御するものであり、ＣＰＵ（Central Processing Unit）、ＲＯＭ（Read Only Memory）、及びＲＡＭ（Random Access Memory）などを有する集積回路により実現できる。
本実施形態のデータ処理部１９は、記憶部１３に記憶されている全体投影画像（全体画像）ＦＩ用のデータ（全体画像データ）を読み出して、部分投影画像Ｉｍｇ１〜Ｉｍｇ９用のデータ（分割画像データ）に分割し、通信部１１を介してプロジェクタＰＪ１〜ＰＪ９に各分割画像データをそれぞれ送信する。即ち、ＰＣ１０は、プロジェクタＰＪ１〜ＰＪ９に対して部分投影画像Ｉｍｇ１〜Ｉｍｇ９用の分割画像データを配信する画像供給装置としての機能を果たす。
【００１２】
〔プロジェクタの構成〕
図４は、本発明の一実施形態に係るプロジェクタの構成例を示すブロック図である。なお、プロジェクタＰＪ１〜ＰＪ９は同一の構成であるため、以下の説明においては各プロジェクタを区別せずに単にプロジェクタＰＪと表記する。同様に、プロジェクタＰＪから投影される部分投影画像についても区別せず、単に部分投影画像Ｉｍｇと表記する。
【００１３】
プロジェクタＰＪは、ＣＰＵ２１と、ＩＦ部２２と、画像処理部２３と、操作部２４と、照明光学部２５と、異常検知部２６（異常検知手段）とを有している。
ＣＰＵ２１は、ＲＯＭ（Read Only Memory）等のメモリに記憶されたプログラムをＲＡＭ（Random Access Memory）に展開して実行し、プロジェクタＰＪの各部と制御信号を送受信することにより、これらの各部を制御する。
【００１４】
ＩＦ部２２は、ＬＡＮコントローラ、ＡＦＥ（Analog Front End）、ＨＤＭＩ（登録商標）、ＵＳＢなどの入力インターフェースを有する回路である。本実施形態においてＩＦ部２２はＰＣ１０と接続され、ＰＣ１０から、部分投影画像Ｉｍｇに係る画像データを受信し、また、ＰＣ１０に対してプロジェクタＰＪの表示状態を示す表示状態通知（正常状態通知、又は異常状態通知）を送信する。
画像処理部２３は、ＩＦ部２２において受信された画像データを処理する回路であり、具体的には、ＩＦ部２２で受信した部分投影画像Ｉｍｇに係る画像データに対して、諧調処理、スケーリング、台形補正などの各種画像処理を施して、ＣＰＵ２１を介して照明光学部２５に出力する。
操作部２４は、操作パネル等で構成される、いわゆるユーザインターフェースであり、ユーザからの各種操作入力（電源ＯＮ／ＯＦＦ、入力切り替え、音量調節などの操作）をＣＰＵ２１に通知する。
【００１５】
照明光学部２５は、発光装置（例えば、放電ランプ）、カラーホイール、ＤＭＤ（Digital Mirror Device）等を備える、いわゆる投影装置であり、発光装置からの光をカラーホイールによってＲＧＢの３原色に時分割してＤＭＤに入射させると共に、画像処理部２３から入力される画像データに従ってＤＭＤを駆動し、スクリーンＳに部分投影画像Ｉｍｇを投影する。
異常検知部２６は、プロジェクタＰＪが部分投影画像Ｉｍｇを正常に投影しているか否かを監視するセルフモニタ手段であり、異常を検知した場合には、その旨をＣＰＵ２１に通知する。例えば異常検知部２６は、発光装置が正常に点灯しているか否かを検知するセンサから構成することができ、発光装置が正常に点灯していない場合に異常である旨をＣＰＵ２１に通知する。また、異常検知部２６は、部分投影画像Ｉｍｇを撮像する撮像手段と、撮像された部分投影画像ＩｍｇをＰＣ１０から受信した画像データと比較する画像比較手段とを備えた構成とすることもできる。この場合、異常検知部２６は、撮像された部分投影画像ＩｍｇがＰＣ１０から受信した画像データと色彩が大きく異なっている場合や部分投影画像Ｉｍｇの一部又は全部が欠損している等の異常が検知された場合に、異常である旨をＣＰＵ２１に通知する。
【００１６】
〔故障例、画像変更例〕
図５は、一部のプロジェクタの故障により、対応する部分投影画像が異常表示となった全体投影画像の一例を示す図である。
本図は、図１に示すプロジェクタＰＪ４が故障することによって、プロジェクタＰＪ４が投影する部分投影画像Ｉｍｇ４が非表示となったり画像が乱れる等の異常表示となっている場合を示している。例えば、広告を表示させる目的で画像投影システム１を使用している場合、部分投影画像Ｉｍｇ４部分に重要な情報が含まれていると、プロジェクタＰＪ４の故障により正常な宣伝広告機能を果たせなくなる。
【００１７】
そこで、本実施形態においては、故障したプロジェクタＰＪ４から表示状態が異常であることを示す信号（異常状態通知）をＰＣ１０に送信する。異常状態通知を受信したＰＣ１０は、全体投影画像ＦＩを形成するための分割画像データを、表示状態が異常であるプロジェクタＰＪ４を使用しない変更分割画像データに変更し、各変更分割画像データを正常なプロジェクタＰＪに出力することによって、各変更分割画像データに基づく変更分割画像を夫々スクリーンＳに投影させる。この処理によってスクリーンＳには、複数の変更分割画像によって変更後の全体投影画像が形成される。
【００１８】
図６は、正常なプロジェクタが投影する部分投影画像のみを用いてスクリーンに完全な情報を含む画像を表示する第一の例である。本例では、異常画像となっている部分投影画像Ｉｍｇ４と同じ行を表示する部分投影画像Ｉｍｇ５、Ｉｍｇ６を非表示にし、部分投影画像Ｉｍｇ４〜Ｉｍｇ６が表示する内容を部分投影画像Ｉｍｇ１〜Ｉｍｇ３に割り振って表示させるように全体投影画像ＦＩを再構成した例である。言い換えれば、ＰＣ１０は、故障したプロジェクタＰＪ４が表示する部分投影画像Ｉｍｇ４の表示内容と、必要に応じて非表示にされる部分投影画像Ｉｍｇ５、Ｉｍｇ６の表示内容を、引き続き投影される少なくとも１つの部分投影画像Ｉｍｇ１〜Ｉｍｇ３によって補完するような変更分割画像データを生成する。
このように、故障したプロジェクタＰＪ４を使用しなくても済むように全体投影画像ＦＩの表示パターンを変更することで、観者にとって意味のあるように変更した変更後の全体投影画像をスクリーンＳに投影できる。もちろん、データ処理部１９は、異常が発生している部分投影画像Ｉｍｇ４と同一の列を含まない画像パターンを生成してもよい。
【００１９】
図７は、正常なプロジェクタが投影する部分投影画像のみを用いてスクリーンに完全な情報を含む画像を表示する第二の例である。本例は、全体投影画像ＦＩに投影していた画像と同一の画像を、部分投影画像Ｉｍｇ５、Ｉｍｇ６、Ｉｍｇ８、Ｉｍｇ９によって形成される変更後の全体投影画像として縮小して投影する例である。即ち、故障前においてＰＣ１０は、全体投影画像ＦＩ用の画像データを９分割したデータ（分割画像データ）を各プロジェクタＰＪ１〜ＰＪ９に送信した。ＰＣ１０はプロジェクタＰＪ４が故障した場合に、全体投影画像ＦＩ用の画像データを４分割したデータ（変更分割画像データ）を各プロジェクタＰＪ５、ＰＪ６、ＰＪ８、ＰＪ９に送信することによって、スクリーンＳに縮小した画像を投影する。
本例のように、異常画像となっている部分投影画像が全体投影画像ＦＩの端部に位置する場合は、元の全体投影画像ＦＩの分割パターンを変更することにより、当該画像をスクリーンＳに縮小して表示することが可能である。従って、故障したプロジェクタＰＪを使用せずに、意味のある全体投影画像をスクリーンＳに投影できる。
【００２０】
以上のようにＰＣ１０は、異常が検知される前の全体投影画像ＦＩに含まれる情報のうち、観者に必要な情報（表示させるべき情報）を含むように変更分割画像データを生成して正常なプロジェクタＰＪに送信する。以上の処理を実行することにより、一部のプロジェクタＰＪが故障した場合であっても意味のある全体投影画像をスクリーンＳに形成することができる。
【００２１】
〔プロジェクタの処理〕
図８は、自身の異常を監視するプロジェクタの処理を示したフローチャートである。
ステップＳ１０１において、ＣＰＵ２１は、ＩＦ部２２から入力された画像データに基づく画像をスクリーンＳに投影する動作を実行しているか否か、即ち、照明光学部２５から部分投影画像Ｉｍｇを出力する動作を実行しているか否かを判断する。実行している場合（ステップＳ１０１にてＹＥＳ）は、ステップＳ１０２の処理を実行する。
ステップＳ１０２において、ＣＰＵ２１は、プロジェクタＰＪ自身が正常な画像を表示しているか否かを判断する。即ち、ＣＰＵ２１は、異常検知部２６から、異常を検知した旨の通知を受信したか否かを判断する。画像が正常に表示されている場合、即ち異常検知部２６から異常を検知した旨の通知を受信していない場合（ステップＳ１０２にてＹＥＳ）は、ステップＳ１０３を実行する。画像が正常に表示されていない場合、即ち異常検知部２６から異常を検知した旨の通知を受信した場合（ステップＳ１０２にてＮＯ）は、ステップＳ１０４を実行する。
ステップＳ１０３において、ＣＰＵ２１はＩＦ部２２を介してＰＣ１０に対し、表示が正常である旨の表示状態通知（正常状態通知）を送信する。なお、正常状態通知には、プロジェクタＰＪ１〜ＰＪ９を識別する固有識別情報が含まれる。
【００２２】
ステップＳ１０４において、ＣＰＵ２１はＩＦ部２２を介してＰＣ１０に対し、表示が異常である旨の表示状態通知（異常状態通知）を送信する。なお、異常状態通知には、プロジェクタＰＪ１〜ＰＪ９を識別する固有識別情報が含まれる。
ステップＳ１０５において、ＣＰＵ２１は、部分投影画像Ｉｍｇの表示を停止させる処理、即ち、照明光学部２５の動作を停止させる処理を実行する。この処理により、異常画像が表示されることを回避する。
プロジェクタＰＪは以上の処理を繰り返すことにより、表示状態通知をＰＣ１０に定期的に送信する。
【００２３】
〔ＰＣの処理〕
図９は、全体投影画像の表示パターンを変更するＰＣの処理を示したフローチャートである。
ステップＳ２０１において、データ処理部１９は通信部１１を介して、夫々のプロジェクタＰＪ１〜ＰＪ９から送信される表示状態通知を受信する。
ステップＳ２０２において、データ処理部１９は、プロジェクタＰＪが異常状態にあるか否かを判断する。即ち、データ処理部１９は、異常状態通知を受信した場合、及びプロジェクタＰＪから表示状態通知を受信できなかった場合に、プロジェクタＰＪが異常状態にあると判断して（ステップＳ２０２にてＹＥＳ）、ステップＳ２０３の処理を実行する。逆に、データ処理部１９が正常状態通知を受信した場合には、プロジェクタＰＪが正常状態にあると判断して（ステップＳ２０２にてＮＯ）、ステップＳ２０５の処理を実行する。
ステップＳ２０３において、データ処理部１９は、部分投影画像Ｉｍｇ１〜Ｉｍｇ９（図１）の何れの画像が異常な表示状態となっているかを判断する。即ち、各プロジェクタＰＪから送信される表示状態通知には夫々のプロジェクタＰＪ１〜ＰＪ９を識別する固有識別情報が含まれている。また、ＰＣ１０は予め部分投影画像Ｉｍｇ１〜Ｉｍｇ９の位置とプロジェクタＰＪ１〜ＰＪ９との対応関係を記憶部１３に記憶している。データ処理部１９は、異常状態にあるプロジェクタＰＪを特定することによって、異常が発生した部分投影画像Ｉｍｇの位置を特定する。
【００２４】
ステップＳ２０４において、データ処理部１９は、全体投影画像を、異常が発生した部分投影画像Ｉｍｇを使用しない画像パターンに変更する。例えば、図５のように部分投影画像Ｉｍｇ４に異常が発生している場合にデータ処理部１９は、部分投影画像Ｉｍｇ４を含む行（部分投影画像Ｉｍｇ４、Ｉｍｇ５、Ｉｍｇ６）を使用せず、且つ投影するべきデータを他の部分投影画像Ｉｍｇに含む新たな画像パターンを生成する。即ち、データ処理部１９は、部分投影画像Ｉｍｇ４、Ｉｍｇ５、Ｉｍｇ６に表示していた情報を他の部分投影画像Ｉｍｇ１〜Ｉｍｇ３、Ｉｍｇ７〜Ｉｍｇ９に割り振る画像パターンを生成する。データ処理部１９は、部分投影画像Ｉｍｇ１〜Ｉｍｇ３、Ｉｍｇ７〜Ｉｍｇ９に対応する画像データを、対応するプロジェクタＰＪ１〜ＰＪ３、ＰＪ７〜ＰＪ９に送信して表示させる。
ステップＳ２０５において、データ処理部１９は、全てのプロジェクタＰＪ１〜ＰＪ９を利用した全体投影画像ＦＩをスクリーンＳに表示させる画像パターンを生成し、各部分投影画像Ｉｍｇに係るデータを各プロジェクタＰＪに配信する。
【００２５】
〔本発明の実施態様例と作用、効果のまとめ〕
＜第一の実施態様＞
本態様は、全体画像データを分割した複数の分割画像データを出力する情報処理手段（ＰＣ１０）と、各分割画像データに基づく分割画像を夫々表示する複数の画像表示手段（プロジェクタＰＪ）と、を備え、各画像表示手段から夫々表示される分割画像（部分投影画像Ｉｍｇ）によって１つの全体画像（全体投影画像ＦＩ）を形成する画像表示システム（画像投影システム１）であって、各画像表示手段が各分割画像を正常に表示しているか否かを検知する異常検知手段（異常検知部２６）を備え、情報処理手段は、いずれかの画像表示手段について異常検知手段が異常を検知した場合に、分割画像データを変更した変更分割画像データを正常な各画像表示手段に出力することを特徴とする。
【００２６】
本態様において情報処理手段は、画像表示手段の異常（故障）を検知した場合に、表示中の全体画像を、故障した画像表示手段を使用しないパターンの画像となるように分割画像データを変更し、正常な画像表示手段のみによって変更後の全体画像を形成する。故障した画像表示手段を使用しないパターンの画像とは、全体画像データ自体を変更する（再構成する）場合と、全体画像データを変更せずに分割パターンのみを変更する場合とがある。
前者としては例えば、故障した画像表示手段が全体画像の中で必要な（又は重要な）情報を表示していた場合に、情報処理手段は当該情報を正常な画像表示手段に表示させるように全体画像データを再構成するような場合が考えられる。この場合、情報処理手段は再構成した全体画像データを分割し、分割により生成された変更分割画像データを正常な各画像表示手段に出力して変更後の全体画像を形成させる。後者としては例えば、縦３個×横３個＝合計９個の画像表示手段によって表示していた全体画像を縦２個×横２個＝合計４個の画像表示手段によって縮小表示するような場合が考えられる。いずれの場合も、一部の画像表示手段が故障したとしても、故障した画像表示手段を使用せずに観者に伝達するべき情報を伝達できる、意味のある全体画像を形成することが可能となる。
【００２７】
なお、本態様は、複数のプロジェクタ（画像投影装置）によって構成されるマルチプロジェクションシステムの他、複数のモニタ（ディスプレイ）によって構成されるマルチモニタシステム（マルチディスプレイシステム）等に適用可能である。また、異常検知手段は、各画像表示手段に含む構成であってもよいが、情報処理手段に含む構成であってもよいし、画像表示手段と情報処理手段の双方から独立した構成としてもよい。
【００２８】
＜第二の実施態様＞
本態様において、各変更分割画像データにより形成される変更後の全体画像（全体投影画像ＦＩ）は、異常が検知された画像表示手段（プロジェクタＰＪ）によって表示される分割画像と同一の行又は同一の列に位置する分割画像以外の分割画像によって形成される画像であることを特徴とする。
異常が検知された（故障した）画像表示手段が表示する部分のみを非表示にしてもよいが、観者に違和感を与える場合がありうる。本態様においては、マトリクス状に配置された分割画像により矩形状の全体画像を形成する画像表示システムにおいて、正常な画像表示手段が表示する領域のうち、故障した画像表示手段と同一の行又は同一の列に位置する領域を非表示にすることによって、全体画像中の表示領域と非表示領域のバランスをとることができる。
【００２９】
＜第三の実施態様＞
本態様において、各変更分割画像データにより形成される変更後の全体画像（全体投影画像ＦＩ）は、異常が検知される前の全体画像を縮小した画像であることを特徴とする。
一部の画像表示手段が故障した場合、元の全体画像データを再構成してもよいが、データ処理を複雑化させず、且つ情報の欠落を防止するためには、変更後の全体画像を元の全体画像と同一内容の画像とすることが望ましい。本態様においては、変更後の全体画像を異常が検知される前の全体画像を縮小した画像とすることにより、できるだけ正常な内容の全体画像を表示することを可能としている。
ここで、例えばマトリクス状に配置された分割画像により矩形状の全体画像を形成する場合であって、故障した画像表示手段によって表示される領域が全体画像の端部に位置する場合を考える。この場合は、故障した画像表示手段によって表示される領域と同一の行、又は／及び、同一の列に位置する領域を非表示とすることによって、元の全体画像を縮小して表示することが可能である。
なお、変更後の全体画像は、元の全体画像の縦と横を等倍率で縮小した画像であってもよいし、元の全体画像の縦と横とを異なる倍率で（横長又は縦長の画像となるように）縮小した画像であってもよい。
【００３０】
＜第四の実施態様＞
本態様において、情報処理手段（ＰＣ１０）は、少なくとも異常が検知された画像表示手段（プロジェクタＰＪ）を除く各画像表示手段に各分割画像を表示させるように全体画像データを再構成することを特徴とする。
例えば、異常が検知された（故障した）画像表示手段が全体画像の中で必要な（又は重要な）情報を表示していた場合に、故障した画像表示手段が表示する部分のみを単に非表示にすると、必要な情報が観者に伝達されないという問題がある。本態様によれば、全体画像データを再構成するので、異常の発生前後において完全な情報を変更後の全体画像に表示できる。
【符号の説明】
【００３１】
１…画像投影システム（画像表示システム）、１０…ＰＣ（情報処理手段）、１１…通信部、１３…記憶部、１５…表示部、１７…操作部、１９…データ処理部、２１…ＣＰＵ、２２…ＩＦ部、２３…画像処理部、２４…操作部、２５…照明光学部、２６…異常検知部（異常検知手段）、ＰＪ１〜ＰＪ９…プロジェクタ（画像表示手段）、Ｉｍｇ１〜Ｉｍｇ９…部分投影画像（部分表示画像）
【先行技術文献】
【特許文献】
【００３２】
【特許文献１】特許第４９６１８５２号公報
【図１】
2018004809.tif 000003
【図２】
2018004809.tif 000004
【図３】
2018004809.tif 000005
【図４】
2018004809.tif 000006
【図５】
2018004809.tif 000007
【図６】
2018004809.tif 000008
【図７】
2018004809.tif 000009
【図８】
2018004809.tif 000010
【図９】
2018004809.tif 000011